(57)【要約】【課題】直接ゴルフティーを差し込めない場所においても容易にティーアップすることができ、さらに実際と同じような感覚で使用できるゴルフティーを提供する。【解決手段】本発明に係るゴルフティーは、上端にゴルフボールを載せる台座２を有し、下端にこの台座を支持する支持足４を具備してなるゴルフティーであって、前記支持足４の下端側が複数の方向に外拡がりに放射線状に枝分かれした柔軟性のある複数の先細の支持足で先端部６を球状に形成したものである。【選択図】      図１                      
2005065945.tif 000002
【特許請求の範囲】
【請求項１】
上端にゴルフボールを載せる台座を有し、下方にこの台座を支持する支持足を具備してなるゴルフティーであって、
前記支持足の下端側が複数の方向に外拡がりに放射線状に枝分かれした柔軟性のある複数の支持足からなることを特徴とするゴルフティー。
【請求項２】
前記支持足の先端部を円弧状に形成したことを特徴とする請求項１記載のゴルフティー。
【請求項３】
前記台座中央部に既製品ティー差し込み穴を形成したことを特徴とする請求項１又は２記載のゴルフティー。
【請求項４】
前記台座の支持足の付根部分に設けた突出部にひも通し穴を形成したことを特徴とする請求項１乃至３のいずれか１に記載のゴルフティー。
【請求項５】
前記支持足が台座の中心線に対して略直角に外拡がりであることを特徴とする請求項１乃至４のいずれか１に記載のゴルフティー。
【発明の詳細な説明】
【技術分野】
【０００１】
本発明は、直接ゴルフティーを差し込めないような場所においてもティーショットの振り抜き感を損なわず、どこにおいてもティーグランド同様にティーアップを可能にするゴルフティーに関するものである。
【背景技術】
【０００２】
従来、ゴルフクラブでゴルフボールを打つ練習をするときにはゴルフ練習用マットが用いられている。そして実際の芝の感覚に近づけて練習を行う。ティーショットの練習の際には、マット上ではティーアップが出来ないためマットにゴムティーが設置されているケースが多い。そしてゴムティーにゴルフボールを載せてティーショットの練習を行う（例えば、特許文献１参照）。しかしゴムティーでは実際の振り抜き感は得られない。そこで直接ゴルフティーを差し込めないような場所においても、容易にティーアップが出来、ゴルフティーの高さも調整可能であり、更には実際の振り抜き感を損なわないゴルフティーが要望されている。
【特許文献１】特開平５−３３７２２６号公報
【発明の開示】
【発明が解決しようとする課題】
【０００３】
従来の技術においては、例えば上記文献１においては、ゴルフティーを付設した練習用マットに関するものであるため、上記文献１の練習マットが設置されているゴルフ練習場においてしか使用することができなかった。またゴムティーであるため実際の振り抜き感は得られなかった。そこで本発明では、上記文献１のゴルフマットの設置されていない場所や、その他直接ティーアップしにくいような場所においても容易にティーアップすることができ、さらに実際と同じような感覚で使用できるゴルフティーを提供し、ゴルファーに適切な練習環境を提供することを目的とする。
【課題を解決するための手段】
【０００４】
本発明は前記課題を解決することを目的としてなされたもので、請求項１に記載のゴルフティーは、上端にゴルフボールを載せる台座を有し、下方にこの台座を支持する支持足を具備してなるゴルフティーであって、前記支持足の下端側が複数の方向に外拡がりに放射線状に枝分かれした柔軟性のある複数の支持足からなることを特徴としている。
【０００５】
請求項２記載のゴルフティーは、請求項１に記載のゴルフティーにおいて、前記支持足の先端部を円弧状に形成したことを特徴としている。
【０００６】
請求項３記載のゴルフティーは、請求項１又は２に記載のゴルフティーにおいて、前記台座中央部に既製品ティー差し込み穴を形成したことを特徴としている。
【０００７】
請求項４記載のゴルフティーは、請求項１乃至３のいずれか１に記載のゴルフティーにおいて、前記台座の支持足の付根部分に設けた突出部にひも通し穴を形成したことを特徴としている。
【０００８】
請求項５記載のゴルフティーは、請求項１乃至４のいずれか１に記載のゴルフティーにおいて、前記支持足が台座の中心線に対して略直角に外拡がりであることを特徴としている。
【発明の効果】
【０００９】
本発明によれば、前記支持足を具備することによって、例えばゴルフ練習場のゴルフ練習マットのような直接ティーを差し込むとこが出来ない場所においてもティーアップすることができる。また、前記支持足の付根部分に設けたひも通し穴にひもを通し固定したり、十分な重さのあるものに巻きつけることで、ゴルフティーの飛びによる紛失を防止するという効果も発揮する。さらに、既製品ティー差し込み穴を形成したことで既製品ティーも使用することができ、既製品ティーよりさらに高くすることも可能である。既製品ティーを本発明によるゴルフティーに差し込むことにより、ゴルフティーの高さを調整できるだけでなく、ゴルフティーが折れにくくなり、耐久性も向上するという効果も発揮する。
【発明を実施するための最良の形態】
【００１０】
以下、本発明の実施の形態を実施例に基づいて説明する。本発明の実施の形態に係るゴルフティーは図１に示すように、上端部にゴルフボールを載せる台座２及び下端側に前記台座２を支持する支持足４、さらに前記台座２中央部に既製品ティー差し込み穴５を有するもの（ゴルフティー１Ａ）、または図２に示すように、ゴルフティー１Ａの支持足４の付根部分にひも通し穴３を具備してなるもの（ゴルフティー１Ｂ）である。
【００１１】
台座２は、図１に示すように、円形の台座であり、中央部に既製品ティー差し込み穴５を有してなるものである。既製品ティー差し込み穴５のサイズは大きすぎると既製品ティー８を差し込んでも途中で止まることがなく、小さすぎると既製品ティー８を差し込んでも差し込めないので、高さを調製することができない。よって既製品ティー８のサイズに合わすようにしておくのがよい。
【００１２】
支持足４は先端が先細りになっており、球などの円弧状である支持足先端部分６を有したものであり、高さ調整の際にゴルフティー１Ａ、１Ｂを手で上方から押して圧力をかけたときに発生する支持足先端部６の引っ掛かりを防ぎ、スムーズに高さを調整することができるようになっている。支持足４の本数は通常８本であるが他の本数であってもよい。
【００１３】
ひも通し穴３は、図２に示すように、支持足４の付根部分に設けられ、形状は円形、楕円形などいずれでもよい。大切なことは、ひも通し穴３にひも９が通ることである。また、ひも９は市販されているものでよく、その素材、長さ等は特に限定されるものではない。
【００１４】
またゴルフティー１の素材としては柔軟性を有する弾性体のものが挙げられ、好ましくは軟質プラスチックを挙げることができる。
【００１５】
このように構成されたゴルフティー１Ａ、１Ｂは支持足４によってゴルフ練習場や、冬季のゴルフ場のような凍結して既製品ティー８が刺さらないような場所においても、ティーアップすることができる。またゴルフティー１Ｂのようにひも通し穴３を具備する場合、ひも９を通し固定したり、または十分な長さのあるひも９のゴルフティー１の他端側に十分な重さのあるものを巻きつけることにより、ゴルフティー１Ｂの飛びによる紛失を防止することにもなる。また、十分な長さのあるひも９を付けるだけでもゴルフティー１Ｂの飛びによる紛失を軽減する効果もある。
【００１６】
以下、本発明のゴルフティー１Ａ、１Ｂの使用例について説明する。まず、図３、４にゴルフボール７を使用した例を示す。ゴルフボール７を使用するときには、図３（ａ）、４（ａ）のようにゴルフティー１Ａ、１Ｂの上にゴルフボール７を置き、好みの高さになるまでゴルフティー１Ａ、１Ｂに上方から手で圧力を加えてゴルフティー１Ａ、１Ｂの高さを調整する。このときにゴルフティー１Ａ、１Ｂは図３、４に示すように支持足４が外方向に放射状に広がる。これにより高さの調整が可能である。また、支持足先端部分６が球などの円弧状になっていることにより、高さ調整の際にゴルフティー１Ａ、１Ｂを手で上方から押して圧力をかけたときに発生する支持足先端部６の引っ掛かりを防ぎ、スムーズに高さを調整することができるようになっている。このことによって容易に高さ調整が可能となっているだけでなく、引っ掛かりのときに、無駄な力をかけ過ぎることによってのゴルフティー１Ａ、１Ｂの破損をも防止することができる。
【００１７】
次に既製品ティー８を使用した例を図５及び図６に示す。図５（ａ）、６（ａ）に示すように本発明のゴルフティー１Ａ、１Ｂの既製品ティー差し込み穴５に既製品ティー８を差し込むだけでゴルフボール７をティーアップすることができる。このときのゴルフティー１Ａ、１Ｂは既製品ティー８を使わないときと同様に、支持足４が外方向に放射状に広がる。このことによって高さの調整が可能となる。また、このときのゴルフティー１Ａ、１Ｂの高さも既製品ティー８を差し込むときの手による圧力の加減で好みの高さに調整することができる。また、このことによりゴルフティー１Ａ、１Ｂの高さを自由に調整できるだけでなく、既製品ティー８を折れにくくするという耐久性にも効果を発揮する。
【００１８】
また、図７の（ａ）及び（ｂ）に示すように、支持足４が台座２の上面に対し平行になるように支持足４を構成してもよい。このゴルフティー１Ｃでは、支持足４の全体が地面に接するように配設されているため、地面が若干傾いているような場所でもゴルフボール７のティーアップを安定して行うことができる。なお、支持足４の本数及び形状はこれに限定されるものではなく、ゴルフティー１を地面に対して安定して支持できるものであれば適宜設計変更が可能である。また、ここではひも通し穴３が設けられたゴルフティー１Ｃを示しているが、ひも通し穴３を設けることなくゴルフティー１Ｃを構成することも当然可能である。
【００１９】
本発明のゴルフティーによる効果を列記すると以下の通りである。
（１）グリーン、ゴルフ練習場や屋外など、どこにおいても使用可能である。
（２）高さの調整が自由自在である。
（３）ボールとの接点が既製品ティーと変わらない。
（４）既製品ティーが使用できることにより、練習の際にもリアルな打感を楽しむことができる。
（５）既製品ティーを本発明によるゴルフティーに差し込んで使用する際、既製品ティーが折れにくなり、耐久性が向上する。
（６）コンパクトで持ち運びも設置も簡単である。
（７）ひも通し穴にひもを通して使用する際には、安定感がある上、飛びによるゴルフティーの紛失も少ない。
このようにゴルファーにとって簡易で最適な環境を提供することができる。
【図面の簡単な説明】
【００２０】
【図１】本発明ゴルフティーの未使用時における立面図と平面図である（ひも通し穴を有しない時）。
【図２】本発明ゴルフティーの未使用時における立面図と平面図である（ひも通し穴を有する時）。
【図３】本発明ゴルフティーの使用時における立面図と平面図である（ひも通し穴を有しない時）。
【図４】本発明ゴルフティーの使用時における立面図と平面図である（ひも通し穴を有する時）。
【図５】本発明ゴルフティーの既製品ティー使用時における立面図と平面図である（ひも通し穴を有しない時）。
【図６】本発明ゴルフティーの既製品ティー使用時における立面図と平面図である（ひも通し穴を有する時）。
【図７】本発明ゴルフティーの使用時における立面図と平面図である（ひも通し穴を有する時）。
【符号の説明】
【００２１】
１Ａ、１Ｂ    ゴルフティー
２    台座
３    ひも通し穴
４    支持足
５    既製品ティー差し込み穴
６    支持足先端部分
７    ゴルフボール
８    既製品ティー
９    ひも
【図１】
2005065945.tif 000003
【図２】
2005065945.tif 000004
【図３】
2005065945.tif 000005
【図４】
2005065945.tif 000006
【図５】
2005065945.tif 000007
【図６】
2005065945.tif 000008
【図７】
2005065945.tif 000009